(57)【要約】【課題】標識基質を用いることなく、安定同位体情報に基づいて試料中に含まれるアセトン中の天然の安定炭素同位体比（13Ｃ／12Ｃ）を定量的に分析する方法を提供すること。【解決手段】本発明は、試料中に含まれるアセトンの天然の安定炭素同位体比（13Ｃ／12Ｃ）を分析する方法である。この方法は、試料中に含まれるアセトンの天然の安定炭素同位体比を測定する工程を含む。本発明の方法は、（ａ）試料中に含まれるアセトンを、該試料から濃縮抽出する工程と、（ｂ）濃縮抽出されたアセトンの天然の安定炭素同位体比（13Ｃ／12Ｃ）を測定する工程を含むことができる。また、本発明は、脂質の代謝をモニタリングする方法を包含する。【選択図】図２
2016003923.tif 000002
【特許請求の範囲】
【請求項１】
試料中に含まれるアセトンの天然の安定炭素同位体比（13Ｃ／12Ｃ）を分析する方法であって、試料中に含まれるアセトンの天然の安定炭素同位体比（13Ｃ／12Ｃ）を測定する工程を含むことを特徴とする分析方法。
【請求項２】
試料中に含まれるアセトンの天然の安定炭素同位体比（13Ｃ／12Ｃ）を分析する方法であって、
（ａ）試料中に含まれるアセトンを、該試料から濃縮抽出する工程と、
（ｂ）濃縮抽出されたアセトンの天然の安定炭素同位体比（13Ｃ／12Ｃ）を測定する工程
を含むことを特徴とする分析方法。
【請求項３】
試料中に含まれるアセトンを濃縮抽出する手段が、ヘッドスペースマイクロ固相抽出（ＨＳ−ＳＰＭＥ）法又はマイクロ固相抽出（ＳＰＭＥ）法であることを特徴とする請求項２に記載の、試料中に含まれるアセトンの天然の安定炭素同位体比（13Ｃ／12Ｃ）を分析する方法。
【請求項４】
アセトンの天然の安定炭素同位体比（13Ｃ／12Ｃ）を測定する方法が、ガスクロマトグラフィー−燃焼−同位体比質量分析法（ＧＣ−Ｃ−ＩＲＭＳ）であることを特徴とする請求項１〜３のいずれか１項に記載の、試料中に含まれるアセトンの天然の安定炭素同位体比（13Ｃ／12Ｃ）を分析する方法。
【請求項５】
脂質の代謝をモニタリングする方法であって、試料中に含まれるアセトンの天然の安定炭素同位体比（13Ｃ／12Ｃ）を測定する工程を含み、前記同位体比の減少が生体内における脂質代謝の亢進を示すことを特徴とする方法。
【発明の詳細な説明】
【技術分野】
【０００１】
本発明は、試料中のアセトンの天然の安定炭素同位体比（13Ｃ／12Ｃ）の分析方法及び脂質代謝のモニタリング方法に関する。
【背景技術】
【０００２】
厚生労働省が発表した２０１０年国民健康・栄養調査によると、国内の糖尿病患者数は２５０万人、有病者の数は９００万人との推定されており、その予備群も加えると２３００万人となる。全世界では、糖尿病の患者数は２億５０００万人とされている。予防医学、早期診断などが進まない限り、糖尿病患者数が増加するのは明白である。
【０００３】
糖尿病の検査項目において、第１選択に位置づけられる項目はグリコヘモグロビンＡ１ｃ（ＨｂＡ１ｃ）検査である。また、糖尿病のスクリ−ニング及び糖尿病患者の日常の治療効果のモニタリングに使用されているのがグルコ−スセンサ−による血糖値の測定である。しかし、ＨｂＡ１ｃ値と平均血糖値との間に乖離がある場合も報告されており、ＨｂＡ１ｃ値のみを用いた糖尿病診断の問題性が指摘されている。また、いずれの方法も血液を試料としており、侵襲的な検査のため患者の痛みを伴い、頻繁に検査をすることができない。尿糖測定用グルコ−スセンサ−も市販されているが、疾患との相関が悪く、糖尿病の検査としては使用されていない。
【０００４】
一方、非侵襲的な検査として、１９９０年頃から、大学や企業で近赤外線を用いた非侵襲的血糖値測定技術の開発が進められており、指などの近赤外透過スペクトルから血糖値を求める方法がある。しかし、この方法は、疾患との相関が悪く、現在まで実用化されているものはない。米国では皮膚から間質液を抽出し、グルコ−スセンサ−でグルコース値を連続測定できる非侵襲的グルコ−スモニタリング装置があり、ＦＤＡで承認されている。しかし、この装置による測定は、１型糖尿病患者（インシュリン依存型）に対して有効性が示されているが、糖尿病患者の９割を占める２型糖尿病（インシュリン非依存型）では有効性が示されていない。
【０００５】
近年では、生体試料中のアセトン濃度を測定し、その値から、糖尿病疾患に関わる代謝の正常と異常を区別することが議論されてきた（非特許文献１及び２）。しかしながら、アセトン濃度は同じ人間でも時間で大きく変化し、また個人差も大きいことから、正常と異常の濃度範囲をどのように設定するかが非常に難しいと指摘されている（非特許文献３）。
【０００６】
また、糖尿病のような代謝異常の疾患の評価及び診断を行うために13Ｃ標識化合物の投与と代謝産物への13Ｃ再分配パターンを計測するという方法も報告されている。この方法は、代謝前駆物質、代謝中間体、代謝生成物の関係を有機分子の構成炭素部位ごとに明確に関連付けることができる優れた方法ではあるが、専門的な医療機関において厳密に管理された状態で13Ｃ標識基質を投与し、それに続く経過観察を行う必要がある（特許文献１）。
【先行技術文献】
【特許文献】
【０００７】
【特許文献１】特開２００７−１９２８３１号公報
【非特許文献】
【０００８】
【非特許文献１】C. Deng, et al., “Determination of acetone in human breath by gas chromatography-mass spectrometry and solid-phase microextraction with on-fiber derivatization”, Journal of Chromatography B, 810, 269-275, 2004.
【非特許文献２】近藤他，「糖尿病患者における呼気アセトン測定の意義」，総合保健体育科学 28(1), 57-60, 2005
【非特許文献３】D. Smith, et al., “Can volatile compounds in exhaled breath be used to monitor control in diabetes mellitus?”, J. Breath Res. 5, 1-8, 2011.
【非特許文献４】A. Gilbert, et al., “Accurate method for the determination of intramolecular 13C isotope composition of ethanol from aqueous solutions”, Anal. Chem., 85 (14), 6566-6570, 2013.
【発明の概要】
【発明が解決しようとする課題】
【０００９】
上述したように、従来、糖尿病の検査に用いられてきたＨｂＡ１ｃ検査やグルコ−スセンサ−による血糖値の測定は、ＨｂＡ１ｃ値と平均血糖値との間に乖離が生じるという問題がある上に、いずれもの方法も血液を試料としており、侵襲的な検査のため患者の痛みを伴い頻繁に検査ができないという問題があった。
【００１０】
また、呼気、皮膚ガス又は尿試料を対象とした非侵襲的検査では、アセトン濃度の測定だけで脂質の燃焼の度合いを評価すること、又は、糖尿病などの代謝異常疾患を診断することは、実際には難しいという問題があった。
【００１１】
更に、糖尿病のような代謝異常の疾患の評価及び診断を行うために13Ｃ標識化合物の投与と代謝産物への13Ｃ再分配パターンを計測するという方法が提案されている。しかし、この方法は、専門的な医療機関において厳密に管理された状態で13Ｃ標識基質を投与し、それに続く経過観察を行う必要があり、事前準備や経過観測に非常に手間がかかるという問題があった。また、13Ｃ標識化合物はグルコースなどの糖であるため、糖尿病患者に糖を投与しなければならず、リスクが高いという問題があった。
【００１２】
従って、簡便な日常的検査を可能にする新規な糖尿病診断技術に適用可能な分析法又はモニタリング法が要望されている。特に、糖尿病診断技術は、糖尿病患者を増やさないための予防医学的なもの、或いは、早期診断であることが必要であるが、そのような技術分野に適用可能な分析法又はモニタリング法を開発することが望まれている。
【００１３】
また、標識基質を用いることなく、同位体情報が利用できれば、特別な施設内での前準備等は必要なく、通常の生活状況でより簡便に代謝異常の疾患又はそのような疾患の状態の定量的分析又は測定が可能となる。更に、そのような分析及び測定を簡便に行える技術が伴えば、その利用が普及すると期待されるが、現在のところそのような報告例はない。従って、標識基質を用いることなく、試料中に含まれるアセトン中の天然の安定炭素同位体比（13Ｃ／12Ｃ）を定量的に分析又はモニタリングする方法の提供が望まれている。
【課題を解決するための手段】
【００１４】
本発明は、試料中に含まれるアセトンの天然の安定炭素同位体比（13Ｃ／12Ｃ）を分析する方法である。この方法は、試料中に含まれるアセトンの天然の安定炭素同位体比（13Ｃ／12Ｃ）を測定する工程を含む。
【００１５】
本発明は、以下の工程を含む試料中に含まれるアセトンの天然の安定炭素同位体比（13Ｃ／12Ｃ）の分析方法を包含する。
【００１６】
（ａ）試料中に含まれるアセトンを、該試料から濃縮抽出する工程と、
（ｂ）濃縮抽出されたアセトンの天然の安定炭素同位体比（13Ｃ／12Ｃ）を測定する工程。
【００１７】
本発明の方法の工程（ａ）では、試料中に含まれるアセトンを濃縮抽出する手段が、ヘッドスペースマイクロ固相抽出法（ＨＳ−ＳＰＭＥ）又はマイクロ固相抽出法であることが好ましい。
【００１８】
また、本発明の方法の工程（ｂ）では、アセトン中の天然の安定炭素同位体比（13Ｃ／12Ｃ）を測定する方法が、ガスクロマトグラフィー−燃焼−同位体比質量分析法（ＧＣ−Ｃ−ＩＲＭＳ）であることが好ましい。
【００１９】
本発明は、脂質の代謝をモニタリングする方法を包含する。この方法は、試料中に含まれるアセトンの天然の安定炭素同位体比（13Ｃ／12Ｃ）を測定する工程を含み、前記同位体比の減少が生体内における脂質代謝の亢進を示すことを特徴とする。
【発明の効果】
【００２０】
現在、糖尿病などの代謝疾患の診断に利用されている分析法及び測定法には血液試料が用いられている。このような血液試料は、患者の痛みを伴う侵襲的手法により採取されるため、検査のための血液採取を頻繁に行うことができない。本発明の方法は、呼気、皮膚ガス、尿試料等を用いる分析方法であるため、非侵襲的手段で試料を採取することができ、頻繁に検査を実施することが可能となる。また、特別な施設内での前準備及び経時的な観測を必要とせず、任意の時間に簡便な試料採取が可能である。このため、患者自身で試料の採取を行うことが可能であり、非常に簡便かつ経済的な分析方法となる。
【００２１】
更に、本発明の脂質の代謝をモニターする方法は、生体内における脂質代謝の亢進をモニターすることができる。
【図面の簡単な説明】
【００２２】
【図１】生体内でのアセトンの代謝経路を説明するための説明図である。
【図２】生体中のケトン体の代謝経路とアセトンの天然の安定炭素同位体比計測から定量的に糖質と脂質の利用率を区別する原理を説明するための説明図である。
【図３】（ａ）〜（ｄ）は、生体試料（尿）を採取し、保存するまでの手順を示す図である。
【図４】（ａ）〜（ｄ）は、生体試料（尿）中のアセトンの量を測定する手順を示す図である。
【図５】（ａ）はＳＰＭＥホルダーの概略図であり、（ｂ）は（ａ）のニードル部の拡大図であり、（ｃ）は、生体試料（尿）中のアセトンを、ＳＰＭＥホルダーに吸着する様子を示す図である。
【図６】（ａ）〜（ｃ）は、封緘燃焼法を用いてアセトンの天然の安定炭素同位体比の真値を求める手順を示す図である。
【図７】ＨＳ−ＳＰＭＥ法及び封緘燃焼法により天然の安定炭素同位体比を測定した結果から作成した天然の安定炭素同位体比の検量線を示す図である。
【図８】健常な被験者の尿を採取し、その尿中のアセトン量、及びアセトンの天然の安定炭素同位体比を約３日間続けて観測した結果を表す図である。
【発明を実施するための形態】
【００２３】
本発明の第一の側面は、生体試料中のアセトンの天然の安定炭素同位体比（13Ｃ／12Ｃ）を分析する方法である。
【００２４】
また、本発明の第二の側面は、脂質の代謝をモニタリングする方法である。
【００２５】
まず、生体試料に含まれるアセトンについて説明する。生体試料に含まれるアセトンは、図１に示すようなアセトンの代謝経路により生じる。即ち、グルコース及び脂肪酸は、それぞれ解糖系及びβ酸化によりアセチルＣｏＡに変換され、クエン酸回路（ＴＣＡ回路）により消費される。ここで、肝臓では、肝臓のミトコンドリア内で、アセチルＣｏＡは３−ヒドロキシ酪酸或いはアセト酢酸に変換され、アセト酢酸は脱炭酸してアセトンへと変化する。糖尿病などでβ酸化が過度に亢進した場合、ケトン体（アセト酢酸、３−ヒドロキシ酪酸及びアセトン）が大量に生産される。また、絶食などによってグルコースが枯渇した場合もケトン体が生成される。
【００２６】
生体内でのアセトンの代謝経路を考えた場合、図１に示されるように、アセトンはグルコースと脂肪酸に由来する。同一生体内のグルコースと脂肪酸の天然の安定炭素同位体比（13Ｃ／12Ｃ）は明確に異なることが知られている。ここで、絶食状態又は糖尿病状態を考えると、血中から細胞内へのグルコースの取り込みが低下し、アセトンの代謝経路において脂肪酸の割合がグルコースよりも多くなる。これは、アセトンの起源がグルコースから脂肪酸へ傾くことを意味する。このように、アセトンの起源がグルコースから脂肪酸へ傾いた時、グルコースと脂肪酸の割合に従って、アセトンの天然の安定炭素同位体比（13Ｃ／12Ｃ）が変化することが期待される。このアセトンの天然の安定炭素同位体比（13Ｃ／12Ｃ）の変化がグルコースと脂肪酸の割合の変化（ひいては、糖尿病の疾患の状態）を定量的に反映することが実証できれば、アセトンの天然の安定炭素同位体比の変化を分析する方法は、糖尿病又は糖尿病予備群の対象を検査及び評価するのに適用可能な方法となりうる。また、このような分析方法は、脂質の代謝をモニターするのにも利用可能である。即ち、アセトンの天然の安定炭素同位体比の変化をモニターし、生体内での脂質の利用が亢進しているかどうかをモニタリングすることができる。
【００２７】
しかし、生体試料中のアセトンの天然の安定炭素同位体比（13Ｃ／12Ｃ）の変化を測定し、被験者の代謝状態の変化（グルコースと脂肪酸の割合の変化）によりアセトンの天然の安定炭素同位体比（13Ｃ／12Ｃ）が変化するか否かを実際に検証した例はない。
【００２８】
同一生体内のグルコースと脂肪酸の天然の安定炭素同位体比（13Ｃ／12Ｃ）はわずかではあるが、明確に異なることが知られている。ここで、絶食によって、又は、糖尿病によってアセチルＣｏＡの起源（即ちアセトンの起源）がグルコースから脂肪酸へと変化した場合、グルコースと脂肪酸の割合に従った、アセトンの天然の安定炭素同位体比（13Ｃ／12Ｃ）の変化が期待される。
【００２９】
従来、糖尿病患者の血液、尿及び呼気中のアセトンの濃度が増加することから、糖尿病患者において、糖質が利用される状態から脂質が利用される状態へ生体エネルギー源の偏りが起きることが推測されてきた。しかし、同一個体内あるいは個体間におけるアセトン濃度の変動幅が大きいために、アセトンの濃度の増加のみを指標として、代謝の状態を推測することは時として曖昧である。
【００３０】
本発明の分析方法及びモニタリング方法は、アセトン自体の量的な変化（濃度変化）ではなく、糖質及び脂質に対して特有のエンドメンバー値をもつ天然の安定炭素同位体比（13Ｃ／12Ｃ）という質的な違いに着目し、この天然の安定炭素同位体比（13Ｃ／12Ｃ）を測定する点に特徴を有する。このような点に着目することで、本発明の分析方法は、糖質及び脂質の利用割合を定量的に判断するための検査方法に資すると考えられる。特に、本発明は、脂質代謝の状態をモニターする際に有効な方法となる。
【００３１】
例えば、図２に示すように、糖質利用障害により、脂肪酸のβ酸化によるアセチルＣｏＡの産生が亢進し、ケトン体が多量に生成した場合、アセトンなどのケトン体が血液を通して呼気、尿などの生体試料中に排出される。この生体試料中のアセトンの天然の安定炭素同位体比（13Ｃ／12Ｃ）は、アセチルＣｏＡ（従ってアセトン）の起源であるグルコース及び脂肪酸の利用率を反映したものとなる。従って、生体試料中のアセトンの天然の安定炭素同位体比（13Ｃ／12Ｃ）をモニタリングすることで、アセチルＣｏＡの起源が脂肪酸の利用に偏っているかどうか、即ち、脂質代謝の状態を把握することが可能となる。例えば、後述するように、アセトンの起源がグルコースから脂肪酸へ傾いた時、アセトンの天然の安定炭素同位体比（13Ｃ／12Ｃ）が減少するので、脂質代謝の状態を把握することが可能となる。
【００３２】
アセトンの天然の安定炭素同位体比（13Ｃ／12Ｃ）の測定は、例えば、ヘッドスペースマイクロ固相抽出と、ガスクロマトグラフィー−燃焼−同位体比質量分析法を併用すること（ＨＳ−ＳＰＭＥ−ＧＣ−Ｃ−ＩＲＭＳ法）で行うこともできる（非特許文献４）。この方法は、環境試料中の極微量メタノール、エタノール、アセトアルデヒド、酢酸等の天然の安定炭素同位体比の測定について有効であることが報告されているものであるが、今回、本発明のアセトンの天然の安定炭素同位体比（13Ｃ／12Ｃ）の分析についても適用可能であることを確認した。
【００３３】
本発明においては、ヘッドスペースマイクロ固相抽出の条件により、天然の安定炭素同位体比（13Ｃ／12Ｃ）の測定値が真値からずれることがわかっているが、これは補正することが可能である。例えば、あらかじめ、天然の安定炭素同位体比（13Ｃ／12Ｃ）が既知の数種類のアセトン試薬を用いて標準試料を作成し、安定した計測結果が得られる条件の決定と、真値からのずれの正確な見積もり（検量線の作成）を行い、その結果を基に測定値を補正することができる。
【００３４】
本明細書において、「天然の安定炭素同位体比」とは、13Ｃ標識化合物のような標識剤を導入することなく、天然の材料によって生体内に取り込まれた物質によって生体内で産生される化合物の安定炭素同位体比（13Ｃ／12Ｃ）をいう。
【００３５】
以下に図面を参照して本発明の方法を具体的に説明する。
【００３６】
本発明の第一の側面は、試料中に含まれるアセトンの天然の安定炭素同位体比（13Ｃ／12Ｃ）を分析する方法である。この方法は、試料中に含まれるアセトンの天然の安定炭素同位体比（13Ｃ／12Ｃ）を測定する工程を含む。
【００３７】
具体的には、上記工程では、試料は、生体試料を意味し、尿、呼気、皮膚ガス（皮膚から発散されるガス）などの非侵襲的手段によって採取できるものであることが好ましい。これらの試料は、例えば、一般的な採尿手段、呼気採取用バッグなどによる呼気採取、手首から先の部分を覆うサンプリングバッグによる皮膚ガスの採取などにより採取することができる。
【００３８】
採取した試料からアセトンの天然の安定炭素同位体比（13Ｃ／12Ｃ）を測定する。第１の実施形態として、アセトンの天然の安定炭素同位体比（13Ｃ／12Ｃ）の測定は、採取した試料から直接行うことができる。あるいは、第２の実施形態として、生体試料から、別途アセトンを濃縮抽出してからアセトンの天然の安定炭素同位体比（13Ｃ／12Ｃ）の測定を行ってもよい。
【００３９】
第１の実施形態である、直接にアセトンの天然の安定炭素同位体比（13Ｃ／12Ｃ）を測定するには、例えば以下の手順をとることができる。
【００４０】
生体試料が尿試料の場合、従来から知られている、ヘッドスペース（ＨＳ）法（密閉容器の上部空間に揮発した、測定対象試料（アセトン）を含む気体成分を採取する方法）などにより気体試料を採取し、直接に、例えばガスクロマトグラフィー−燃焼−同位体比質量分析法（ＧＣ−Ｃ−ＩＲＭＳ）などの測定手段により、天然の安定炭素同位体比（13Ｃ／12Ｃ）を測定すればよい。
【００４１】
生体試料が呼気及び皮膚ガスのような気体である場合、採取した生体試料を直接に、例えばガスクロマトグラフィー−燃焼−同位体比質量分析法（ＧＣ−Ｃ−ＩＲＭＳ）などの測定手段で天然の安定炭素同位体比（13Ｃ／12Ｃ）を測定すればよい。
【００４２】
第２の実施形態として、生体試料中のアセトンを濃縮抽出し、その後に天然の安定炭素同位体比（13Ｃ／12Ｃ）を測定することもできる。即ち、本発明は、以下の工程を含むアセトンの天然の安定炭素同位体比（13Ｃ／12Ｃ）の分析方法を包含する。
（ａ）試料中に含まれるアセトンを、該試料から濃縮抽出する工程と、
（ｂ）濃縮抽出されたアセトンの天然の安定炭素同位体比（13Ｃ／12Ｃ）を測定する工程。
【００４３】
生体試料からアセトンを濃縮抽出してから測定を行う場合、アセトンが揮発性物質であるので、生体試料からアセトンが消散せず、アセトンの的確な採取が可能な手段を使用することが好ましい。例えば、スマイクロ固相抽出（ＳＰＭＥ）法などを挙げることができる。
【００４４】
ＳＰＭＥ法は、後に詳述するように、測定対象物（アセトン）を吸着するための吸着材を備えたＳＰＭＥホルダーに目的の成分を吸着させて濃縮を行う方法である。例えば、尿試料のような液体試料の場合、上述したＨＳ法とＳＰＭＥ法を併用して濃縮抽出を行うことができる（ＨＳ−ＳＰＭＥ法）。また、呼気及び皮膚ガスのような気体試料の場合には、ＳＰＭＥ法を適用し、気体試料にＳＰＭＥホルダーを接触させて濃縮を行うことができる。
【００４５】
本発明において、測定対象物であるアセトンを濃縮することで、測定の感度を更に高めることができる。
【００４６】
ここで、上述の通り、ＨＳ法は、液体試料から揮発する気体成分を採取する手段であり、ＳＰＭＥ法は目的の気体成分（例えばアセトン）を試料から濃縮する手段である。
【００４７】
以下に上記の各工程を詳細に説明する。
【００４８】
（Ｉ）工程（ａ）
工程（ａ）では、試料中のアセトンを濃縮抽出する。本発明で、試料は、上述したとおり、生体試料を意味し、尿、呼気、皮膚ガス（皮膚から発散されるガス）などの非侵襲的手段によって採取できるものであることが好ましい。これらの試料の採取は上述したとおりである。
【００４９】
試料からアセトンを濃縮抽出する手段は、アセトンが揮発性物質であることから、生体試料からアセトンが消散せず、アセトンの的確な濃縮抽出が可能なものであれば特に限定されないが、例えば、ＳＰＭＥ法を挙げることができる。上述した通り、尿試料のような液体試料の場合、ＨＳ法等により測定対象物であるアセトンを気体として取り出すと共に、ＳＰＭＥ法により濃縮するＨＳ−ＳＰＭＥ法を用いることが好ましい。また、呼気又は皮膚ガスのような気体試料の場合には、ＳＰＭＥ法により濃縮を行うことができる。
【００５０】
工程（ａ）の濃縮抽出を実施するに際し、まず試料の準備及び保存と、試料の前処理を行うことが好ましい。アセトンは非常に揮発性の高い物質であるため、試料採取後の処理は迅速に行う必要がある。
【００５１】
以下に、尿を例に取り、試料の準備及び保存と、試料の前処理について説明するが、本発明はこれに限定されない。
【００５２】
（ｉ）試料の採取、秤量、小分け及び保存
図３（ａ）及び（ｂ）に示したように、尿試料は採取後速やかに重量を測定する。次に、分析に必要な分量を小さなバイアル（例えば２ｍＬ）に小分けにして密封し（図３（ｃ））し、冷却下で保存する (図３（ｄ）)。なお、アセトンの揮発を最小限にとどめるために、小分けにする際はバイアル容量目一杯まで尿試料を入れ、バイアル内の気相部分をなくし、アセトンが揮発する空間をできる限り減少させることが好ましい。
【００５３】
（ｉｉ）試料の前処理
尿中にはアセトン以外にもタンパク質成分などが混在している。このため、アセトン以外の成分によってアセトンの揮発が阻害されてしまう可能性がある。従って、アセトンの揮発を促進させるために、アセトンの抽出前に尿試料と塩析剤を混合することが好ましい。塩析剤は、アセトンの分析に悪影響を及ぼさない限り、公知の材料を用いることができる。例えば、Ｎａ2ＨＰＯ4、（ＮＨ4）2ＳＯ4、Ｎａ2ＳＯ4、Ｋ3Ｃ6Ｈ5Ｏ7・Ｈ2Ｏ、Ｋ2ＨＰＯ4などを挙げることができる。これらを複数用いることもできる。
【００５４】
具体的には、図４（ａ）に示すように、始めに抽出に用いるバイアル４０２に塩析剤（図４の例ではＮａ2ＳＯ4）を添加しておく。そして、アセトン抽出に必要な尿量を、冷蔵保存してあるバイアル３０２内の尿試料からバイアル４０２にマイクロピペットを使って添加する。このように尿試料と塩析剤を混合することで、効果的なアセトン抽出が可能となる。
【００５５】
（ｉｉｉ）ＨＳ−ＳＰＭＥ法によるアセトン抽出
尿試料からアセトンを濃縮抽出する方法として、ヘッドスペース固相マイクロ抽出（ＨＳ−ＳＰＭＥ）法を用いることができる（図４（ｂ））。この濃縮抽出法は、従来のシンプルなヘッドスペース（ＨＳ）法と比べ、目的成分の濃縮を自動的に行えるので、極微量成分を濃縮して抽出することも可能である点で非常に優れている。また、ＳＰＭＥ法は簡便かつ迅速な操作が可能である点においても非常に優れている。
【００５６】
ＳＰＭＥの本体構成と抽出原理を図５に示した。図５（ａ）及び図５（ｂ）に示したように、本体構成はＳＰＭＥホルダーと取り換え可能なファイバーに分かれており、ファイバー表面には吸着材がコーティングされている。コーティング剤は、アセトンを選択的に抽出することの出来るものであればいずれのものも使用できる。例えば、Ｃａｒｂｏｘｅｎ（商標）／ＰＤＭＳを挙げることができる。未使用時、ファイバー部分はホルダー内に格納されており、濃縮抽出時にファイバーを暴露させることで、目的成分を吸着させる（図４（ｂ））。
【００５７】
尿試料のような液体試料では、分析の目的物質であるアセトンが高い揮発性を有するため、液相（尿試料）に直接ファイバーを暴露するよりも、気化した成分からファイバーへアセトンを吸着させた方が効率的である。
【００５８】
以上の手順で、尿試料からアセトンを濃縮抽出すことができる。なお、上記の例以外の呼気又は皮膚ガス等の気体試料であっても同様の手順でアセトンを濃縮抽出すことができる。例えば、呼気又は皮膚ガスからの気体試料の容量を測定し、密封して冷所保存することができる。また、試料は気体であるから、ＳＰＭＥ法を直接適用し、そのままＳＰＭＥホルダーでアセトンを吸着させて濃縮することができる。
【００５９】
（ＩＩ）工程（ｂ）
工程（ｂ）では、濃縮抽出されたアセトンの天然の安定炭素同位体比（13Ｃ／12Ｃ）を測定する。本発明の方法では、アセトン中の天然の安定炭素同位体比（13Ｃ／12Ｃ）を測定する方法は、ガスクロマトグラフィー−燃焼−同位体比質量分析法（ＧＣ−Ｃ−ＩＲＭＳ）であることが好ましい（図４（ｃ））。
【００６０】
具体的な操作は以下の通りである。まず、工程（ａ）において、試料容器内で揮発したアセトンを一定時間ファイバー上に吸着させて得られた試料を、ガスクロマトグラフィー（ＧＣ）にインジェクションする。インジェクターで加熱脱着されたアセトンは、分離カラムで分離精製された後、オンライン燃焼炉でＣＯ2に変換され、質量分析計に導入されて13Ｃ／12Ｃの含有量が計測される。
【００６１】
本発明の第二の側面は、脂質の代謝をモニタリングする方法である。このモニタリング方法は、試料中に含まれるアセトンの天然の安定炭素同位体比（13Ｃ／12Ｃ）を測定する工程を含み、前記同位体比の減少が生体内における脂質代謝の亢進を示すことを特徴とする。
【００６２】
本発明のモニタリング方法におけるアセトンの天然の安定炭素同位体比（13Ｃ／12Ｃ）の測定は、第一の側面で説明した分析方法と同様である。本発明のモニタリング方法は、アセトンの天然の安定炭素同位体比（13Ｃ／12Ｃ）を測定し、その増加及び減少をモニタリングする。アセトンの天然の安定炭素同位体比（13Ｃ／12Ｃ）の減少は、図２を用いて説明したグルコースと脂肪酸の利用が脂肪酸側に傾いたことを示す。このように、アセトンの天然の安定炭素同位体比（13Ｃ／12Ｃ）の減少は、生体内で脂肪酸の利用が亢進したこと、即ちグルコースの代謝が低下し、糖尿病のような代謝異常の状態を示すと考えられる。
【００６３】
呼気若しくは皮膚ガス、又は尿試料を対象とした非侵襲的検査に応用可能な分析（測定）方法、又はモニタリング方法は、定期健康診断でのスクリ−ニング検査を実施する際に有用である。また、これらの方法は、将来、糖尿病予備群や糖尿病患者が自宅で試料を採取して分析対象物を測定することにより、糖尿病予備軍の糖尿病予防に応用できるだけでなく、糖尿病患者の治療（薬、食事、運動など）効果を把握できる診断法に応用できれば極めてインパクトは大きい。更に、呼気若しくは皮膚ガス、又は尿試料を対象とした非侵襲的検査に応用可能な分析（測定）方法又はモニタリング方法が、簡易に糖尿病のモニタリングに応用できれば、薬、運動等による効果を段階的に反映でき、糖尿病の早期治療にもつながり、社会的にも極めて有用である。
【００６４】
糖尿病の患者の場合、糖質利用障害のため、健常者と比べて脂質利用率が高い。従って、アセトンに含まれる天然の安定炭素同位体比（13Ｃ／12Ｃ）は健常者と比べ一般的には低くなると考えられる。本発明による分析方法及びモニタリング方法は、糖尿病などの代謝異常にかかわる病気の診断や経過観測に利用しうるものである。
【００６５】
また、本発明の分析方法及びモニタリング方法が、統計的なデータ処理や生体中のアセトン採取の手順など、精度を高めるための追加の検討を通して利用されれば、糖質と脂質の利用率を推定することが可能である。従って、医療分野のみならず、ダイエット管理など健康管理の目的で、本発明の方法を利用することも可能である。
【００６６】
以上のように、本発明の分析方法は、糖尿病などの代謝疾患などに関する診断、並びに、ダイエット管理などの代謝状態の評価及び管理などの分野で用いられる、代謝状態の評価及び診断に利用可能な有効な分析方法となりうる。
【実施例】
【００６７】
以下に、本発明の方法を具体例により更に詳細に説明する。以下の例では、健常な被験者を絶食させて体内のグルコース濃度を低下させ、ケトン体の産生を亢進させる状態をつくりだした。本実施例は、このような状態により、アセトンの起源がグルコースから脂肪酸へ傾いた時、グルコースと脂肪酸の割合に従ってアセトンの天然の安定炭素同位体比（13Ｃ／12Ｃ）が変化することを実証するものである。実際の実験手順は以下の通りである。
【００６８】
ある健常な被験者の尿を採取し、その尿中のアセトン量、及びアセトン中の天然の安定炭素同位体比（13Ｃ／12Ｃ）を測定した。観測は約３日間続けて行い、そのうち２日目の午前７時から３日目の午前７時までの２４時間は絶食することにより軽い飢餓状態を作り、その影響を観測した。
【００６９】
アセトンの天然の安定炭素同位体比（13Ｃ／12Ｃ）の測定は、ヘッドスペースマイクロ固相抽出法と、ガスクロマトグラフィー−燃焼−同位体比質量分析法を併用して（ＨＳ−ＳＰＭＥ−ＧＣ−Ｃ−ＩＲＭＳ法）行った。この方法は、環境試料中の極微量メタノール、エタノール、アセトアルデヒド、酢酸等の天然の安定炭素同位体比の測定について有効であることが報告されているが、アセトンについても適用可能であることを確認した。ヘッドスペースマイクロ固相抽出法の条件により、天然の安定炭素同位体比の測定値が真値からずれることがわかっているが、これは、以下に説明する封緘燃焼法と対比することで補正した。
【００７０】
以下に具体的な測定手順を、図を参照して説明する。
【００７１】
（イ）尿試料の準備及び保存（図３）
アセトンは非常に揮発性の高い物質であるため、採尿後の処理は迅速に行う必要がある。そこで、尿試料は採取後速やかに重量を測定したのち、必要分を２ｍＬのバイアルに小分けにして密封し、４℃で冷蔵保存した（図３）。なお、アセトンの揮発を最小限にとどめるために、小分けにする際はバイアルの容量目一杯まで尿試料を入れることで気相をなくし、揮発する空間をできる限りなくなるように留意した。
【００７２】
（ロ）試料の前処理（図４（ａ））
尿中にはアセトン以外にもタンパク成分等が混在しているため、それらによってアセトンの揮発が阻害されてしまう可能性がある。従って、アセトンの揮発を促進させるために、アセトン抽出前に尿試料と塩析剤を混合した。塩析剤として、本実施例では、尿中のアセトンを定量するために、秤量性や処理操作の簡便さ、分析精度、再現性の点で好適なことが知られている硫酸ナトリウムＮａ2ＳＯ4を用いた。
【００７３】
まず始めに、抽出に用いる４ｍＬのバイアルにＮａ2ＳＯ4を添加した。そして、アセトン抽出に必要な尿量を、冷蔵保存してあるバイアル内の尿試料からＮａ2ＳＯ4の入ったバイアルにマイクロピペットを使って添加した。こうして尿試料と塩析剤を混合することで、効果的なアセトン抽出が可能となる。
【００７４】
（ハ）ＨＳ−ＳＰＭＥ法によるアセトン抽出（図４（ｂ）、図５）
尿試料からアセトンを抽出する方法として、ヘッドスペース固相マイクロ抽出（ＨＳ−ＳＰＭＥ）法を用いた（図４（ｂ））。
【００７５】
ＳＰＭＥの本体構成はＳＰＭＥホルダー及び取り換え可能なファイバーからなり、ファイバー表面には吸着材がコーティングされている（図５（ａ）、（ｂ））。本実施例ではコーティング剤として、アセトンを選択的に抽出することの出来るＣａｒｂｏｘｅｎ（商標）／ＰＤＭＳを使用した。未使用時、ファイバー部分はホルダー内に格納されており、抽出時にファイバーを暴露させることで、目的成分を吸着させることができる（図５（ｃ））。
【００７６】
本実施例では、測定の目的物質であるアセトンが高い揮発性を有するため、液相（尿試料）に直接ファイバーを暴露するよりも、気化した成分からファイバーへアセトンを吸着させた方が効率的である。従って、本研究では４ｍＬバイアルに尿試料を添加し、しっかりと密閉することで、気相部分に尿試料から揮発したアセトンを滞留させ、その気相成分をファイバーへ吸着させた（図４ｂ））。
【００７７】
（ニ）ガスクロマトグラフィー−燃焼−同位体比質量分析法（ＧＣ−Ｃ−ＩＲＭＳ）によるアセトン濃度、及び天然の安定炭素同位体比（13Ｃ／12Ｃ）の測定（図４（ｃ））
アセトンの天然の安定炭素同位体比（13Ｃ／12Ｃ）は、ガスクロマトグラフィー−燃焼−同位体比質量分析計（ＧＣ−Ｃ−ＩＲＭＳ）を用いて測定した（図４（ｃ））。アセトン濃度の測定は同じＧＣ−Ｃ−ＩＲＭＳのＧＣを用いて測定した（図４（ｃ））。
【００７８】
（ホ）アセトンの天然の安定炭素同位体比（13Ｃ／12Ｃ）検量線
本実施例ではＨＳ−ＳＰＭＥ法により、尿試料からアセトンを抽出している。この方法におけるアセトンは、尿中からの揮発、そしてファイバーへの吸着を経てＧＣに打ち込まれて測定されるため、その間での同位体分別が起こり、測定で得られる天然の安定炭素同位体比は真値とは異なる可能性が考えられる。そこで、封緘燃焼法を用いてアセトンの天然の安定炭素同位体比の真値を求めた。ＨＳ−ＳＰＭＥ法と封緘燃焼法のそれぞれで得られた天然の安定炭素同位体比を用いて作成した検量線から、ＨＳ−ＳＰＭＥ法で得られる天然の安定炭素同位体比の真値との比較を行った。
【００７９】
封緘燃焼法の手順を、図６を参照して説明する。あらかじめ真空状態にしておいた石英管を準備する（図６（ａ））。この石英管中にアセトンを注入し、液体窒素で冷却して石英管内にアセトンをトラップして、密封する（図６（ｂ））。次いで、この石英管内でアセトンを燃焼し、石英管内のアセトンを完全にＣＯ2に変換する（図６（ｃ））。こうして得られたＣＯ2の天然の安定炭素同位体比を測定することで燃焼前のアセトンの天然の安定炭素同位体比の真値が算出される。本実施例では燃焼条件は８５０℃、２時間とした（図６）。なお、図６中の酸化銅は、酸素供給用である。
【００８０】
検量線の作成は以下の通りに行った。まず、ＨＳ−ＳＰＭＥ法により市販のアセトン試薬７種の天然の安定炭素同位体比を測定した。次に、それらの試薬について封緘燃焼法により天然の安定炭素同位体比を測定し、天然の安定炭素同位体比の真値をとした。両方法の測定結果から天然の安定炭素同位体比の検量線を作成した（図７）。その結果、直線式はｙ＝１．０１１８ｘ＋０．３８７５となった。また、図７において、Ｒは、相関係数を表す。ＨＳ−ＳＰＭＥ法によって得られた天然の安定炭素同位体比は、この検量線の直線式を用いて補正した。
【００８１】
上記の方法により測定した、尿中の単位時間当たりに排出されるアセトン量、及びアセトン中の天然の安定炭素同位体比（13Ｃ／12Ｃ）の変化を図８に示す。ここで天然の安定炭素同位体比は、δ値を用いて表記した。δ13Ｃは下式（１）で定義されるパラメータであり、試料の13Ｃ／12Ｃが、標準試料の13Ｃ／12Ｃの値と比べてどれだけ多いか、又は少ないかを千分率で表したものである。
δ13Ｃ  （‰）＝｛（13Ｃ／12Ｃ）試料／（13Ｃ／12Ｃ）標準−１｝×１０００  （１）
【００８２】
ここでは、13Ｃ／12Ｃの標準試料として国際標準であるＰｅｅＤｅｅ層のヤイシ類の化石（ＰＤＢ）を用いた。
【００８３】
図８から、絶食による飢餓状態に入った２日目の夜から３日目の早朝にかけて、アセトン量が増大するとともに、δ13Ｃが減少していることがわかる。また、絶食期間明けの食事を摂取した後には、逆にアセトン量が減少し、δ13Ｃが増大していることがわかる。
【００８４】
この結果は、以下のように解釈することができる。
・絶食→糖質不足→脂質（脂肪酸）利用率増大→アセトン量増大、13Ｃ／12Ｃ減少
・絶食後の食事摂取→糖質補充→脂質（脂肪酸）利用率低下→アセトン量減少、13Ｃ／12Ｃ増加
【００８５】
即ち、この結果はアセトンの起源がグルコースから脂肪酸へ傾いた時、その利用率に従ってアセトンの天然の安定炭素同位体比（13Ｃ／12Ｃ）が減少するという仮説を初めて実証するものである。
【００８６】
上記は、尿中のアセトンを測定したものであるが、呼気、及び皮膚ガス中のアセトンを測定しても、同様の結果が得られることを確認した。
【００８７】
糖尿病は同じ生活習慣病である高血圧や高脂質血症と比較して薬の完成度が低い。それだけ大きなマ−ケットが残っている分野である。糖尿病予備群の早期発見が可能となれば、新たな治療薬の開発も活発になり、糖尿病患者で問題となっている糖尿病性網膜症、糖尿病性腎症及び糖尿病性神経阻害の３大合併症への疾患の進展を阻止することが期待できる。
【００８８】
また、本発明はダイエット管理など健康管理の目的で利用することも期待できる。呼気採取等の簡単な非侵襲的操作により得られた試料から、糖質と脂質の利用率を精度よく知ること、及び安全で効果的なダイエット管理法を構築することが期待できる。
【産業上の利用可能性】
【００８９】
本発明の方法は、糖尿病などの代謝異常にかかわる病気の診断や経過観測に利用できる可能性のあるものである。
【符号の説明】
【００９０】
３０２    小バイアル
４０２    抽出に用いるバイアル
【図１】
2016003923.tif 000003
【図２】
2016003923.tif 000004
【図３】
2016003923.tif 000005
【図４】
2016003923.tif 000006
【図５】
2016003923.tif 000007
【図６】
2016003923.tif 000008
【図７】
2016003923.tif 000009
【図８】
2016003923.tif 000010